(57)【要約】【課題】  長期間の使用に際してもヘッド本体内の通水空間に溜っている湯水が散水孔より水滴として下垂れ落ちることを防止できるシャワーヘッドの提供。【解決手段】  通水空間２の前面に小径貫通孔６からなる散水孔３ａを複数有するシャワーヘッドにおいて、通水空間２内に可撓性を有する薄膜５にて区画隔離された隔離室４を形成し、隔離室４は小径貫通孔６を介して外部と通気可能とさせることにより、ヘッド本体内の通水空間に溜っている湯水が散水孔より水滴として下垂れ落ちることを防止できるものである。【選択図】図１
2005334167.tif 000002
【特許請求の範囲】
【請求項１】
通水空間の前面に小径貫通孔からなる散水孔を複数有するシャワーヘッドにおいて、
該通水空間内に可撓性を有する薄膜にて区画隔離された隔離室を形成し、同隔離室は小径貫通孔を介して外部と通気可能とさせて成るシャワーヘッド。
【請求項２】
前記隔離室を前記散水孔の背面側に設け、前記薄膜前方に通水路が形成されるよう通水空間内にノズル部を設けて成ることを特徴とする請求項１に記載のシャワーヘッド。
【請求項３】
前記隔離室の内容量を、前記散水孔からの散水時にて通水路内に充満される水容量と略同一、若しくはそれ以上の容量とさせて成ることを特徴とする請求項１または請求項２いずれかに記載のシャワーヘッド。
【発明の詳細な説明】
【技術分野】
【０００１】
本発明は通水空間の前面に小径貫通孔からなる散水孔を複数有するシャワーヘッドに関する。
【背景技術】
【０００２】
上記のようなシャワーヘッドは、一般に、浴室等に設けられるシャワー散水装置に用いられるもので、図３に示すように、散水孔１０３ａの設けられる散水板１０３面が斜め下向となるように壁面等に支持されて、使用者の全身に満遍なく散水できるようにしている。
【０００３】
しかし、上記のように散水板１０３面が斜め下向となるように壁面等に支持されたシャワーヘッド１０１では、多くの場合、上流側で止水した後でもヘッド本体内の通水空間に溜っている湯水１１３が散水孔１０３ａより排出されるまで長時間水滴１１３ａが下垂れ落ちることとなる。したがって、使用者に対して不快感を与えるという問題があった。また、この対応のために使用者が必要以上に止水栓を強く止水操作させて、シャワー散水装置の故障原因の１つになることも懸念される。
【０００４】
上記課題を解決するため、特開平７−２６５７４４号公報として開示されているシャワーヘッド２０１にあっては、図４に示すように、フレキシブルホース２０８の先端に接続金具２０９を介して連接されたハンドシャワー型のもので、壁面２１０にビス２１１を固植して取付けられたハンガー２１２に着脱自在に掛止できるようになっている。このシャワーヘッド２０１は、通水空間２０２の前面に小径貫通孔からなる散水孔２０３ａを複数有するシャワーヘッドにおいて、少なくとも散水孔２０３ａの内周面を粗面化することにより該内周面の接水面積を増大させてなるようにしている。
【０００５】
しかしながら、この構成では散水孔２０３ａの内周面を粗面化し散水孔２０３ａ内に貯まる水との接水面積を増大させることによりその保水力が著しく増すことにて、散水板２０３を斜め下に向けて支持して散水させ止水した後において、散水板２０３の上部の散水孔１０３ａから通水空間１０２に外気が侵入すること、および散水板２０３の下部の散水孔２０３ａから通水空間２０２中の水が流出し水滴が垂れ落ちることが防止されるようになっているので、長期間の使用にあたり、粗面化された散水孔の内周面に水垢等の不純物が付着し堆積した場合、散水孔２０３ａ内周面の接水面積が減少することが想定される。したがって、長期間の使用に際しての水滴が下垂れ落ちることへの対応に関し、十分とは言えない。
【特許文献１】特開平７−２６５７４４号公報
【発明の開示】
【発明が解決しようとする課題】
【０００６】
本願発明は、上記背景技術に鑑みてなされたものであり、その課題は、長期間の使用に際してもヘッド本体内の通水空間に溜っている湯水が散水孔より水滴として下垂れ落ちることを防止できるシャワーヘッドを提供することである。
【課題を解決するための手段】
【０００７】
本願発明は、上記背景技術に鑑みてなされたものであり、その課題は、長期間の使用に際してもヘッド本体内の通水空間に溜っている湯水が散水孔より水滴として下垂れ落ちることを防止できるシャワーヘッドを提供することである。
【発明の効果】
【０００８】
本願発明のシャワーヘッドは、小径貫通孔からなる散水孔から散水させる際に、可撓性を有する薄膜にて通水空間内に区画隔離され形成された隔離室内が負圧となって小径の通気孔を介して外部から通気され、同隔離室の内容量が増大する。その後、上流側で止水し散水孔から散水を停止した際に、通水空間内に溜まった湯水の圧力にて上記薄膜を変位させて隔離室ヘッド本体内の隔離室外の通水空間容量が増大するので、湯水が散水孔より水滴として下垂れ落ちることが防止される。このように、長期間の使用に際してもヘッド本体内の通水空間に溜っている湯水が散水孔より水滴として下垂れ落ちることを防止できるがシャワーヘッドが得られる。
【０００９】
そして、隔離室を前記散水孔の背面側に設け、通水空間内のノズル部を通水する水圧にて隔離室を形成する薄膜前方部分が確実に負圧状態となり、通水量の比較的少ない使用状態においても隔離室の内容量を確実に増大することとなってより確実に水滴として下垂れ落ちることが防止される。
【００１０】
また、前記隔離室の内容量を、前記散水孔からの散水持にて通水路内に充満される水容量と略同一、若しくはそれ以上の容量とした結果として、少なくとも散水持に通水路内に充満される水容量分は隔離室の内容量が増大することとなって確実に水滴として下垂れ落ちることが防止されるという効果を奏する。
【発明を実施するための最良の形態】
【００１１】
図１及び図２は、請求項１から請求項３に対応した一実施形態のシャワーヘッド１である。このシャワーヘッド１は、フレキシブルホース８の先端に接続金具９を介して連接されたハンドシャワー型のもので、図示はしないが、壁面にビスを固植して取付けられたハンガーに着脱自在に掛止できるようになっている。そして、散水孔３ａの設けられる散水板３面が斜め下向となるように壁面等に支持されて、使用者の全身に満遍なく散水できるようにしている。このシャワーヘッド１は、長期間の使用に際してもヘッド本体内の通水空間２に溜っている湯水が散水板３の散水孔３ａより水滴として下垂れ落ちることを防止できるものである。
【００１２】
このシャワーヘッド１は、図１に示すように、通水空間２の前面に小径貫通孔からなる散水孔３ａを複数有し、通水空間２内に可撓性を有する薄膜５にて区画隔離された隔離室４を形成し、隔離室４は小径貫通孔６を介して外部と通気可能とさせている。
【００１３】
そして、隔離室４を散水孔３ａの背面側に設け、薄膜５前方に通水路２ａが形成されるよう通水空間２内にノズル部７を設けてある。
【００１４】
また、隔離室４の内容量を、散水孔３ａからの散水時にて通水路２ａ内に充満される水容量と略同一、若しくはそれ以上の容量とさせてある。
【００１５】
次にこのシャワーヘッド１の動作について図２に基づいて説明する。
【００１６】
まず、シャワーヘッド１の散水孔３ａから湯水を散水させる場合の動作について、図２（ａ）に基づいて説明する。
【００１７】
シャワーヘッド１に通水すると、湯水がフレキシブルホース８、通水空間２である通水路２ａ、を通って散水孔３ａより矢印の方向へ湯水が散水される。この場合、ノズル部７により、通水路２ａが狭くなっている。すなわち、シャワーヘッド１内の湯水の経路は、通水路２ａ入口、出口において、通水路２ａより大きくなっている。したがって、通水路２ａに湯水を通水することにより、通水路２ａの出口から散水孔３ａの間の通水空間２内は、負圧になる。すなわち、外部の気圧より低くなるため小径貫通孔６を介して空気を吸い込むため、薄膜５は、図２（ａ）に示すように、破線の状態から実線の状態に変位し、隔離室４の内容量が大きくなる。したがって、隔離室４の近傍の通水空間２の容量が小さくなることになる。
【００１８】
次に、シャワーヘッド１の散水孔３ａから湯水を散水させた状態から湯水を止水した場合の動作について、図２（ｂ）に基づいて説明する。
【００１９】
シャワーヘッド１を湯水から止水にすると、通水空間２内の負圧が解消される。すなわち、外部の気圧と同じになるため小径貫通孔６より空気を吐き出す。薄膜５は、図２（ｂ）に示すように、破線の状態から実線の状態に変位し、隔離室４の内容量が小さくなる。それに伴い、シャワーヘッド１内の湯水の水位は、矢印の方向に急激に低下する。また、通水空間２に溜まった湯水の水圧により確実に通水空間２の容量が大きくなる（隔離室４の内容量が小さくなる）。その結果として、水滴として散水孔３ａより流れ落ちずに、散水孔３ａよりも低い位置の通水空間２に溜まるようになる。
【００２０】
このように構成されたシャワーヘッド１は、小径貫通孔６からなる散水孔３ａから散水させる際に、可撓性を有する薄膜５にて通水空間２内に区画隔離され形成された隔離室４内が負圧となって小径の小径貫通孔６を介して外部から通気され、隔離室４の内容量が増大する。その後、上流側で止水し散水孔３ａから散水を停止した際に、通水空間２内に溜まった湯水の圧力にて薄膜５を変位させて隔離室４ヘッド本体内の隔離室外の通水空間２容量が増大するので、湯水が散水孔３ａより水滴として下垂れ落ちることが防止される。このように、長期間の使用に際してもヘッド本体内の通水空間２に溜っている湯水が散水孔３ａより水滴として下垂れ落ちることを防止できるがシャワーヘッド１が得られる。
【００２１】
そして、隔離室４を散水孔３ａの背面側に設け、通水空間２内のノズル部７を通水する水圧にて隔離室４を形成する薄膜５前方部分が確実に負圧状態となり、通水量の比較的少ない使用状態においても隔離室４の内容量を確実に増大することとなってより確実に水滴として下垂れ落ちることが防止される。
【００２２】
また、隔離室４の内容量を、散水孔３ａからの散水持にて通水路内に充満される水容量と略同一、若しくはそれ以上の容量とした結果として、少なくとも散水持に通水路２ａ内に充満される水容量分は隔離室４の内容量が増大することとなって確実に水滴として下垂れ落ちることが防止されるという効果を奏する。
【図面の簡単な説明】
【００２３】
【図１】本発明の実施の形態の一例のシャワーヘッドの縦断面図である。
【図２】（ａ）同上の通水時の縦断面図、（ｂ）同上の止水時の縦断面図である。
【図３】従来のシャワーヘッドの縦断面図である。
【図４】特開平７−２６５７４４号公報記載のシャワーヘッドの縦断面図である。
【符号の説明】
【００２４】
１    シャワーヘッド
２    通水空間
２ａ  通水路
３ａ  散水孔
４    隔離室
５    薄膜
６    小径貫通孔
７    ノズル部
【図１】
2005334167.tif 000003
【図２】
2005334167.tif 000004
【図３】
2005334167.tif 000005
【図４】
2005334167.tif 000006